Podtech/llm-jp-corpus-v4-ja_patent huggingface dataset:
(57)【要約】【課題】  従来粘着テープに折り返しを作って貼り付け使用する場合、手で直接粘着テープに触れて折り返す作業をするため、粘着テープの性質上、手に貼りつき作業性が悪く、粘着テープが透明であれば多数の指紋が付着する。このような不都合を解決する事。【解決手段】  粘着テープのテープカッターに、既存のテープカッターに存在する粘着テープが貼りつく座面とは別に、新たな貼り付く座面を設け、その双方又は片方の接近、接近後の接触及び接近する際粘着テープの折れ曲がる方向を限定するための運動軌跡を得られる構造とする事で、折り返しを作る機能を付加し、この課題を解決する。【選択図】図３
2008162790.tif 000002
【特許請求の範囲】
【請求項１】
粘着テープのテープカッターにおいて、既存のテープカッターに存在する粘着テープが貼り付く座面とは別に、新たな貼り付く座面を設け、その双方又は片方の接近、接近後の接触及び接近する際の運動軌跡によって折り返しを作る機能を付加したもの。
【発明の詳細な説明】
【技術分野】
【０００１】  本発明は、粘着テープのテープカッターに関するもので、カットする機能に加え、折り返しを作る機能を付加したものである。
【背景技術】
【０００２】  カットするのみのテープカッターは広く存在し利用されているが、特にこれに関する文献は知りません。
【発明の開示】
【発明が解決しようとする課題】
【０００３】  粘着テープはそのまま貼り付け使用する場合と、折り返しを作って貼り付け使用する場合がある（図１参照）。その折り返しを作る際は従来、手で直接粘着テープに触れて折り返す作業をするため、粘着テープの性質上、手に張り付き作業性が悪く、粘着テープが透明であれば多数の指紋が付着する。本発明は、このような不都合を解決する事を課題とする。
【課題を解決するための手段】
【０００４】  この課題を解決するための請求項の発明は、粘着テープのテープカッターに、既存のテープカッターに存在するカッター部と粘着テープが貼りつく座面とは別に、新たな貼り付く座面を設け、二つの座面双方又は片方の接近、接近後の接触及び接近する際粘着テープの折れ曲がる方向を限定するための運動軌跡を得られる構造とする事で、折り返しを作る機能を付加したものである。
【発明の効果】
【０００５】  本発明により、粘着テープに折り返しを作って貼り付け使用する場合、手で直接粘着テープに触れて折り返す作業をしないため、作業性がよくなり、粘着テープが透明でも指紋が付着しない。
【実施例】
【０００６】  図２は粘着テープのリールに直接取り付けるテープカッターに、新たな貼り付く座面の円運動による接近接触で粘着テープに折り返しを作る機能を付加した、折り返し機能付テープカッターの一例である。【０００７】  図３は、図２の折り返し機能付テープカッターを粘着テープに装着した状態を示す。【０００８】  図４は、図３を拡大した上で動作を示す。【０００９】  図４において粘着テープは、５カッターの直後にある。６既存のテープカッターに存在する、貼り付く座面と７新たな貼り付く座面に貼り付いている。３カッター側レバーと４カッターではない側レバーを握ると８蝶番兼復帰スプリングにより９と１０の円運動軌跡により接近する。円運動軌跡により１１粘着テープの折れ曲がる向きが、上向きに限定される。６既存のテープカッターに存在する貼りつく座面と７新たな貼り付く座面が接触すると１２折り返しが作られる。【００１０】  １２折り返しを剥がし取り、３カッター側レバーと４カッターではない側レバーを放せば、８蝶番兼復帰スプリングにより元へ戻る。【００１１】  その後は、カットするのみのテープカッターとして使用できる。【００１２】  又、折り返しを作る必要がない際は、カットするのみのテープカッターとして使用できる。
【産業上の利用可能性】
【００１３】  本発明に係る折り返し機能付テープカッターは工業的に量産する事が可能であるため、産業上の利用可能性を有する。
【図面の簡単な説明】
【００１４】
【図１】  粘着テープの貼り付け使用した状態を示す図面である。
【図２】  粘着テープのリールに直接取り付けるテープカッターに、円運動により粘着テープに折り返しを作る機能を付加した、折り返し機能付テープカッターの一例を示す図面である。
【図３】  図２の折り返し機能付テープカッターを粘着テープに装着した状態を示す図面である。
【図４】  図３を拡大し、動作を示す図面である。
【符号の説明】
【００１５】  １    粘着テープをそのまま貼り付け使用した状態
２    粘着テープに折り返しを作って貼り付け使用した状態
３    カッター側レバー
４    カッターではない側レバー
５    カッター
６    既存のテープカッターに存在する貼り付く座面
７    新たな貼り付く座面
８    蝶番兼復帰スプリング
９    円運動軌跡
１０  円運動軌跡
１１  粘着テープの折れ曲がる向き
１２  折り返し
【図１】
2008162790.tif 000003
【図２】
2008162790.tif 000004
【図３】
2008162790.tif 000005
【図４】
2008162790.tif 000006
(57)【要約】      （修正有）【課題】接着テープに印刷をして接着面に台紙をつけロールにしたディザインテープを、台紙と連続的に剥離し、テープのみをカットする。【解決手段】アーム（１）をローレットロール（２）のシャフトで、ディスペンサーに固定された軸受金物（５）に連結し、ロール（３）と加圧ウエイト（４）を取付け、（９）のカッターを備えた構造。【選択図】図１
2008162792.tif 000002
【特許請求の範囲】
【請求項１】
テープロール本体の一部を常に一定の加重で加圧する装置。
【請求項２】
ローレット加工を施した金属ロール２個によりテープと台紙を剥離する装置。
【請求項３】
作動部の軸受金物を市販のディスペンサーのカッター穴に差し込み固定できるような形状。
【請求項４】
アーム内径をテープの幅に合わせてコの字型にし、縁より３ミリ低いサイズのウエイトを装着してテープの幅をおさえ、その乱れを防ぐ構造。
【発明の詳細な説明】
【発明の詳細な説明】
【技術分野】
【０００１】  本発明は台紙つき接着テープを剥離して裁断する装置である。テープロール本体の一部に圧力をかけテープロールの緩みやばらつきを防ぎ、接着テープを二つの金属ロールを通すことにより台紙と剥離させる装置で、この金属ロールはテープとの接着を防ぐためロールの表面にローレット加工をして、テープ接着部との接触面を少なくする。テープロールへの加圧はバネを使わず装置の自重を利用して加圧するため常に一定の加重でテープロールを加圧しロールを安定させることができる。
一般のディスペンサーと同じ構造の器具に本発明の装置を取付けることにより、特注の台紙つき接着ディザインテープを、従来のセロハンテープと同じように簡便に剥離しカットすることができるので、多くの需要のこたえることができる。
【背景技術】
【０００２】  セロハンテープはディスペンサーという器具でカットして使用しているが、台紙つきの接着テープの場合、接着面がカバーされているのでディスペンサーで使用の際テープロールが緩んでしまい使用しにくい。その上接着テープと台紙を一緒にカットし、カット後に剥離しなければならないので大変手間がかかる。
【発明が解決しようとする課題】
【０００３】  セロハンテープは非常に便利なものとしてあらゆるところで使われているが、無色透明の素材に様々な印刷をし、ディザインテープとして使用すると多様な用途が開けてくる。そのような製品はすでに世の中に出回っているが、大量ロッドで生産しなければならないため費用がかかり、現在は一部の大手業者に使用されているだけである。製作数が少ない場合は、接着テープの接着面に剥離紙を台紙にして作らなければ製造できない。
台紙をつけて作ると接着面に台紙が貼ってあるため、市販のカッター（ディスペンサー）を使用すると接着テープロールが緩んでばらけてしまう。その上カットする場合もテープと台紙を一緒にカットして、その後テープと台紙をはがさなければならないため、手間がかかり実用に向かない。このような理由で現在は殆んど使用することができないのが現状である。
そのため接着テープの部分を製作の段階で定められた長さに栽断しておくか、必要な寸法に切れ目を入れシート状に製作するなどの必要があり、ディザインテープの普及を妨げている。台紙つきテープを緩まないように保持し、テープと台紙を連続して剥離し、テープ部分だけをカットして、台紙は別に排出することが必要である。
【問題を解決するための手段】
【０００４】  テープロール本体の一部を加圧して緩まないように保持すること。
ローレット加工で接点を少なくし、テープとの接着を防ぐよう加工した金属ロールを２個使い、テープと台紙を剥離してテープのみをカットし台紙は別に排出すること。
【発明実施の形態】
【０００５】  アーム（１）の先端にローレットロール（２）を軸受金物（５）にシャフト（８）で回転するよう固定し、２ミリくらいの間隔をあけてロール（３）をシャフト（７）でアームにビス（６）で取付ける。このアームは内寸法をテープの幅に合わせてコの字型に曲げてあり、内側に縁より２〜３ミリ低くウエイトが固定されている。このアームはシャフト（８）を支点として上下に回転運動をする。それによりアーム自重でテープを常に一定の加重で加圧し幅を整え、テープロールの緩みを防止する。
この装置を使用する場合、接着テープの先端を台紙から剥離して２個のロールの間から引き出すと、テープは強制的にＳ字型に曲げられるため台紙と剥離して、台紙はロール（２）の下に、テープはロール（３）と接触しながらカッター（９）の上方に出て、通常のセロハンテープと同じ様にカットできる。これを連続して行うと、剥離された台紙は軸受金物のコーナーとの接触で下方向に誘導され、テープロールの下からディスペンサー後方に排出される。
【発明の効果】
【０００６】  様々なデザインの印刷をした台紙つきテープが、従来のセロハンテープ同様手軽に使用することができる。この装置は軸受金物をディスペンサーのカッター取付け溝に合わせてあるため、市販のディスペンサーに取付けることができる。以上の理由によりディザインテープを少量多種生産し使用することが可能になる。
【図面の簡単な説明】
【図１】  発明装置の正面図である。
【図２】  発明装置の平面図である。
【図３】  発明装置の断面図である。
【符号の説明】
１、本体アーム
２、ローレット加工を施したローラー
３、金属ローラー
４、ウエイト
５、軸受金物
６、シャフトを固定するビス
７、８、ローラーのシャフト
９、カッター
１０、テープディスペンサー
【図１】
2008162792.tif 000003
【図２】
2008162792.tif 000004
【図３】
2008162792.tif 000005
(57)【要約】【課題】  Ｈ形鋼等を吊り上げて移動したり、反転させたりする時に傷を付けずに、又安全に作業が出来るようにすることにある。【解決手段】  本発明吊り具は、鋼板に長方形の溝とＨ鋼等を挟めるように切断加工した２枚の鋼板（１，２）をスライドさせて、品物を挟んだり、はずしたりする。  又、シャックルをとめる箇所を長方形の溝（５）にし、上方に３箇所（両端、真中）（７、８、９）の窪みをつけて、転倒させる時には、シャックルをその窪みに置くことによって、倒すことあるいは起こすことが出来ることを特徴とする。【選択図】図１
2008162791.tif 000002
【特許請求の範囲】
【請求項１】
本発明吊り具は、鋼板に長方形の溝とＨ鋼等を挟めるように切断加工した２枚の鋼板をスライドさせて、品物を挟んだり、はずしたり、既成シャックルをとめる箇所を長方形の溝にし、上方に３箇所（両端、真中）の窪みをつけて、転倒させる時には、そのシャックルをその端の窪みに置くことによって、倒すことあるいは起こすことが出来る完全無傷安全倒起吊り具。
【発明の詳細な説明】
【技術分野】
【０００１】  本発明は、Ｈ形鋼、その他のＴ形に関する。
【背景技術】
【０００２】  従来、吊り具には、様々な形、デザインを凝らした製品が生産、使用されている。
しかしながら、それらは品物に傷をつけたり、使用方法によっては安全性に問題がある。【０００３】  なお、本願発明に関連する公知技術として次の非特許文献を挙げることができる。【０００４】
【非特許文献】  ホームページｈｔｔｐ：／／ｗｗｗ．ｏｋａｎｏｋｉｋｉ．ｃｏ．ｊｐ．ｇｉｊｙｕｔｓｕ／２７／ｈｔｍにみられる上下で掴む構造のクランプ。
【発明の開示】
【発明が解決しようとする課題】
【０００５】最近、構造物の安全施工のため、形鋼に傷がついてはいけない部材がふえてきた。
上述の如く、従来のクランプでは品物をくわえる時に品物に傷がつく。【０００６】  このため、吊り具としてクランプを使用した場合には、最終工程に於いてグラインダーにて、この傷を除去する作業を行なっている。
又、ハッカー（フック、爪）を使用する時には、使用方法を間違うと不安全となる。
更に、無傷クランプに於いても傷は皆無とは言えない。【０００７】  本発明は、このような点に鑑みて成されたものであり、その目的は、Ｈ形鋼等を吊り上げて運搬したり、反転させたりする時に傷をつけずに、又安全に作業が出来るようにすることにある。
【課題を解決するための手段】
【０００８】  上述の目的を達成する本発明吊り具は、鋼板に長方形の溝とＨ鋼等を挟めるように切断加工した２枚の鋼板をスライドさせて、品物を挟んだり、はずしたりする。
又、シャックルをとめる箇所を長方形の溝にし、上方に３箇所（両端、真中）の窪みをつけて、転倒させる時には、シャックルをその端の窪みに置くことによって、倒すことあるいは起こすことが出来ることを特徴とする。
【発明の効果】
【０００９】  以上説明したように本発明によれば、品物を傷を付けることなく吊ることが出来、又倒したり、起こしたりする時には、安全にかつ簡単に操作が出来る効果がある。
【発明を実施するための最良の形態】
【００１０】  以下、本発明の実施の形態を図面に基づき詳細に説明する。【００１１】  図１は外観斜視図、図２は２枚の鋼板を閉じたところの正面図、図３は開いたところの正面図である。【００１２】  図１に示すように、本吊り具は、鋼板に長方形の溝５とＨ鋼等を挟めるように切断加工した１と２の板２枚をピン６でとめる。
Ｈ鋼等を挟んだり、それをはずしたりする場合には、この２枚の鋼板（１、２）をスライドさせることで可能となる。【００１３】  ３は本体板１と２のスライドをさす為の添え板である。【００１４】  ５は既成のシャックルを取付け可能な溝であり、７，９は両端の上部に付けた窪みであり、８は中央の上部に付けた窪みである。
移動の際には、中央の窪み（８）にシャックルをあてる。
倒したり起したりする時には、端の窪みにシャックルを当てて操作をする。
【産業上の利用可能性】
【００１５】  本発明はＨ形鋼の加工に於いて、無傷で、安全を要求される場合に利用する事が出来る。
【図面の簡単な説明】
【００１６】
【図１】  本発明の吊り具の外観斜視図である。
【図２】  図１の吊り具を閉じたところの正面図である。
【図３】  図１の「吊り具を開いたところの正面図である。
【符号の説明】
【００１７】  １          本体の鋼板
２          本体の鋼板
３          本体板１、２のスライドの為の添え板
４、４Ａ    本体板を合わせた時の固定さすピンを入れる為の穴
５          既成のシャックルを取付け可能な溝
６          本体板１、２の自在接合ピン
７          既成シャックルを固定させる為の窪み（端部）
８          既成シャックルを固定させる為の窪み（端部）
９          既成シャックルを固定させる為の窪み（中央部）
【図１】
2008162791.tif 000003
【図２】
2008162791.tif 000004
【図３】
2008162791.tif 000005
(57)【要約】【課題】従来ではチリ取りにゴミが一杯になった時近くのゴミ入や予めもって来たゴミ袋に口を開き何度もゴミを入れ時間と労力が大変であった【解決手段】発明のチリ取り即ゴミ袋は▲イ▼掃除と同示にゴミ袋に入られるを特徴とした▲ロ▼ゴミ袋を簡単に取り付取り外しが出来るを特徴とした【選択図】図３
2008162793.tif 000002
【特許請求の範囲】
【請求項１】
ゴミ袋（１）をゴミ袋おさいワク（２）とゴミ袋受（３）の間に取り付してチリ取り即ゴミ袋とした
説明は四角のゴミ袋おさいワク（２）と四角のゴミ袋受３）に致しましたがその他の形状も含む
【請求項２】
（７）に溝を儲け作業中にゴミ袋がはずれないようにした
請求項１のチリ取り即ゴミ袋とした
【請求項３】
（５）と（６）でゴミ袋をロックし又ゴミ袋を取り付取り外しを簡単にした
（５）と（６）は作業中のゴミ取の取手兼用にした
請求項１のチリ取り即ゴミ袋とした
【発明の詳細な説明】
【技術分野】
【０００１】この発明は従来のチリ取りにゴミ袋を簡単に取り付取り外しの出来るようにしたチリ取り即ゴミ袋としたもの
【背景技術】
【０００２】従来では屋外等を掃除する場合チリ取りとホーキとゴミ袋をもって掃除に出る場合が多い
【発明の開示】
【発明が解決しようとする課題】
【０００３】これまでは次のような欠点があった
掃除をしてチリ取りからゴミ袋に入る場合ゴミ袋の口を１回いっかい開き大変であった
【課題を解決するための手段】
【０００４】チリ取り即ゴミ袋を利用する事により掃除をしてチリ取りに入れると同示にそのまんまゴミ袋に入れられる
【発明の効果】
【０００５】チリ取り即ゴミ袋を使用した事で掃除の時間短縮と楽に作業が出来るようになった
【発明を実施するための最良の形態】
【０００６】袋の取り付は（１）を（２）のワクに入れる図２のようにする
図２を（３）のワクの下側から入れる次に上側に入れ図３にする
ゴミ袋を外し場合は（５）取手を上方向に（６）の取手を下方向に引くと簡単に外れる
ワクの材料は弾力性のあるものを使用する
【図面の簡単な説明】
【０００７】
【図１】本発明分解斜視図である
【図２】本発明の図１−１図１−２の組立図の斜視図である
【図３】本発明のチリ取り即ゴミ袋の組立全体斜視図である
【符号の説明】
【０００８】１  ゴミ袋  ２  ゴミ袋おさいワク  ３  ゴミ袋受ワク  ４  チリ取り  ５  ゴミ袋上部ロックハンドル兼掃除用取手  ６  ゴミ袋下部ロックハンドル兼掃除用取手
【図１】
2008162793.tif 000003
【図２】
2008162793.tif 000004
【図３】
2008162793.tif 000005
(57)【要約】【課題】  本発明は、バネの機能を使って常に開いた状態か或いは常に閉じた状態を保ち、またはそのいずれの状態へもワンタッチで簡単に切り替えることを可能にするラジオペンチを提供しようとするものである。【解決手段】  ラジオペンチの軸を境にして左側と右側に区別した場合、左右の特定部分（３）（４）（５）（６）をバネ（７）で繋げ、使用しない場合に常に開いた状態か或いは閉じた状態を保ち、そのバネ（７）を固定する特定部分（３）（４）（５）（６）を付け替えることにより、使用しないときの当初の逆の状態、即ち最初に開いた状態であれば逆の閉じた状態を、また最初に閉じた状態であれば逆の開いた状態にと変化させることを可能にするラジオペンチを特徴とする。【選択図】図１
2008162005.tif 000002
【特許請求の範囲】
【請求項１】
ラジオペンチの柄の部分（１ａ）（１ｂ）、並びに握り手の柄の部分（２ａ）（２ｂ）上に、各々バネを固定する特定部分（３）（４）（５）（６）を複数設け、バネ（７）の着脱が自在となるよう形成したことを特徴とするバネ付きラジオペンチ。
【発明の詳細な説明】
【技術分野】
【０００１】  本発明は、ラジオペンチの特定部分にバネを取り付け、その機能を使って常に開いた状態か或いは常に閉じた状態を保ち、またそのいずれの状態へもワンタッチで簡単に切り替えることができ、ラジオペンチの摘むという機能をより能率的にするものであり、またラジオペンチのみならず、その道具が摘んだり切ったりする側と反対の握り手側とが軸によって結合されている道具、例えばペンチ、プライヤー、ニッパー、ヤットコ、カッターハサミ、喰切等について全てに応用できる、バネ付きラジオペンチに関するものである。
【背景技術】
【０００２】  従来からバネを取り付けたラジオペンチは存在していたが、ラジオペンチが開いた状態を保つもののみで、バネの機能をつかって閉じた状態を保つもの、またその両方が随時可能なものはなかった。
【発明の開示】
【発明が解決しようとする課題】
【０００３】ラジオペンチの本来の機能はものを摘むことにあり、そのためにはバネの機能を利用してラジオペンチが最初に開いた状態であれば、握り手側も最初から開いた状態であり、持ちやすく摘む操作のみに専念できるため非常に便利であるが、その機能を保持する一方で、逆にバネの機能で閉じた状態を保持するというものはなく、またその両方の状態をワンタッチで簡単に切り替えができるというものはなかった。
本発明は以上の問題点を解決しようとするものである。
【課題を解決するための手段】
【０００４】  ラジオペンチの軸を境にして左側と右側に区別した場合、左右の特定部分をバネで繋げ、使用しない場合に常に開いた状態か或いは閉じた状態を保ち、そのバネを固定する特定部分を付け替えることにより、使用しないときの当初の逆の状態、即ち最初に開いた状態であれば逆の閉じた状態を、また最初に閉じた状態であれば逆の開いた状態にと変化させることができるラジオペンチであることを特徴とする。
【発明の効果】
【０００５】  バネの取り付け位置を変化させることにより、随時ラジオペンチが常に開いた状態か閉じた状態、或いはまたその両方をワンタッチで簡単に変化させることが可能となり、ラジオペンチの本来の機能を高め、操作しやすく、またその能率を高めることが可能となる。
【発明を実施するための最良の形態】
【０００６】  以下、本発明の実施の形態を説明する。
図１はラジオペンチが特定部分に固定されたバネによって常に開かれた状態を示しており、物を摘んだり切ったりするときに直接その対象物に接触する柄の部分（１ａ）、（１ｂ）が形成されている。前記柄の部分（１ａ）、（１ｂ）の他端には、握り手の柄の部分（２ａ）、（２ｂ）が形成されている。さらに前記柄の部分（１ａ）、（１ｂ）から交差する接合部分には軸上バネ固定部分（６）が形成されている。バネを固定する特定部分（３）、（４）、（５）は前記柄の部分の任意の場所に設けられる。バネを固定する特定部分（３）、（４）をバネ（７）で連結することにより、ラジオペンチが常に開いた状態となり、図２はバネ（７）を特定部分（３）から外し、特定部分（５）に付け替えることにより、バネを固定する特定部分（４）、（５）がバネ（７）で連結することにより、ラジオペンチが常に閉じた状態となり、図３は図１の状態におけるバネ（７）の一部を軸上バネ固定部分（６）に掛けることにより、常にラジオペンチが閉じる状態に変化し、図４では図２の状態におけるバネ（７）の一部を軸上バネ固定部分（６）に掛けることにより、常にラジペンチが開いた状態に変化し、図５はバネ（７）がバネ固定特定部分（３）と（５）で繋がれている状態で、バネ（７）の一部をバネ固定部分（４）に掛けることにより、常にラジオペンチが閉じた状態に変化し、図６はバネ（７）がバネ固定特定部分（３）と（４）で連結されている図１の側面図、図７はバネ（７）がバネ固定特定部分（４）と（５）で連結されている図２の側面図、図８はバネ（７）を軸上バネ固定部分（６）に掛けてバネ固定特定部分（３）と（４）で連結されている図３の側面図、図９はバネ（７）を軸上バネ固定部分（６）に掛けてバネ固定特定部分（４）と（５）で連結されている図４の側面図、図１０はバネ（７）がバネ固定特定部分（３）と（５）で繋がれ、バネ（７）の一部をバネ固定特定部分（４）に掛けて連結されている図５の側面図である。なお、バネ（７）を固定する特定部分（３）（４）（５）は、バネ（７）の先端が引っかかり安く、且つ容易にバネ（７）が脱落しないように固定される、例えば円形突起状であり、軸上バネ固定部分（６）もバネ（７）の一部が引っかかり安く、且つ容易にバネ（７）が脱落しないように固定される、例えば上記と同様の円形突起状のものである。
【図面の簡単な説明】
【０００７】
【図１】本発明の実施例を示す斜視図
【図２】同上
【図３】同上
【図４】同上
【図５】同上
【図６】図１の側面図
【図７】図２の側面図
【図８】図３の側面図
【図９】図４の側面図
【図１０】図５の側面図
【符号の説明】
【０００８】  １ａ、１ｂは、柄の部分
２ａ、２ｂは、握り手の柄の部分。
３、４、５、は、バネを固定する特定部分。
６は、軸上バネ固定部分
７は、バネ。
【図１】
2008162005.tif 000003
【図２】
2008162005.tif 000004
【図３】
2008162005.tif 000005
【図４】
2008162005.tif 000006
【図５】
2008162005.tif 000007
【図６】
2008162005.tif 000008
【図７】
2008162005.tif 000009
【図８】
2008162005.tif 000010
【図９】
2008162005.tif 000011
【図１０】
2008162005.tif 000012
(57)【要約】【課題】木造住宅の腐朽対策やシロアリなどの害虫対策が主要木部全体に対して充分ではない。【解決手段】木造住宅の新築時（内外装仕上げ前）にホウ酸塩を主要構造木部に吹き付け及びローラー塗布する。【選択図】なし【特許請求の範囲】
【請求項１】
建築物全体の木部にホウ酸塩を吹き付け又はローラーで塗布して木部を腐朽菌及びシロアリ・ダニ・ゴキブリなどの害虫から守る工法。
【発明の詳細な説明】
【技術分野】
【０００１】本発明は木造住宅の木部を腐朽菌から守り木部の腐敗を遅延させる。【０００２】同時にシロアリ・ダニ・ゴキブリなどの害虫を駆除する。
【背景技術】
【０００３】従来の木部腐敗に対しては薬剤の加圧注入材や燻製材の使用が主体でそれ以外の材は腐敗対策を講じておりませんでした。【０００４】一方、アメリカではホウ酸塩を加圧注入した木材を使用している。【０００５】シロアリ駆除は地盤面から１ｍまでの木部を薬剤塗布で処理している。【０００６】この工法では飛来するアメリカカンザイシロアリなどには有効ではない。【０００７】また、シロアリ駆除剤は他の害虫（ダニやゴキブリなど）の駆除に対する有効性を表示していない。
【発明の開示】
【発明が解決しようとしている課題】
【０００８】本発明は木造住宅の主要構造木部全体を腐朽菌や害虫から保護するものである。
【問題を解決するための手段】
【０００９】人体やペットに対する安全性が製品安全データシートから確認できるホウ酸塩を原材料として使用する。
【００１０】ホウ酸塩は水溶性の良さから八ホウ酸二ナトリウム四水和物を使用し、１５％程度の水溶液をつくる。
【００１１】木造住宅の新築時に主要構造木部に水溶液をガン吹き付けする。
【００１２】施工部位によってはローラーで塗布する。
【００１３】主要構造部とは柱・土台・梁・母屋・垂木及び外壁、床、屋根の下地に使用する構造用合板などである。
【発明の効果】
【００１４】建物の主要構造部全体を保護する効果がある。
【００１５】ホウ酸塩は木部に浸透して長期の保護効果が見込める。
【００１６】ホウ酸塩は水溶性が高いので常時浸水している状態は好ましくないが漏水などでも木部の心材部はホウ酸塩が残留して効果を持続する可能性が高い。
(57)【要約】【課題】家庭でも簡単に出来て手軽に活用ができる「とらふぐ」の皮から抽出するコラーゲン及びその製造方法を提供する。【解決手段】ふぐの皮から「とげ」を取り除いて細断し、そのふぐ皮を煮沸した後、冷水に浸してゼラチン状にし、乾燥させ、粉砕した後、粉末または顆粒状としたふぐの皮から抽出したコラーゲンである。そしてこのふぐの皮は、「とらふぐ」の皮を用いることを特徴としている。そしてその製造方法は、ふぐの皮から「とげ」を取り除いた後、湯引き処理する工程と、湯引きしたふぐ皮を冷水に入れて冷した後、細断する工程と、細断したふぐ皮をボイルした後、冷水に浸してゼラチン状とする工程と、このゼラチン状のふぐ皮を水で洗い、冷蔵庫で水に浸して一夜寝かす工程と、一夜寝かしたふぐ皮を自動乾燥機で熱風乾燥した後、粉砕し粉末または顆粒状にする工程とからなる。【選択図】なし【特許請求の範囲】
【請求項１】
ふぐの皮から「とげ」を取り除いて細断し、そのふぐ皮を煮沸した後、冷水に浸してゼラチン状にし、乾燥させ、粉砕した後、粉末または顆粒状としたふぐの皮から抽出したコラーゲン。
【請求項２】
ふぐの皮から「とげ」を取り除いた後、湯引き処理する工程と、湯引きしたふぐ皮を冷水に入れて冷した後、細断する工程と、細断したふぐ皮をボイルした後、冷水に浸してゼラチン状とする工程と、このゼラチン状のふぐ皮を水で洗い、冷蔵庫で水に浸して一夜寝かす工程と、一夜寝かしたふぐ皮を自動乾燥機で熱風乾燥した後、粉砕し粉末または顆粒状にする工程とからなるふぐの皮から抽出するコラーゲンの製造方法。
【請求項３】
請求項１または請求項２記載のふぐの皮が、「とらふぐ」の皮である粉末または顆粒状のコラーゲン。
【発明の詳細な説明】
【技術分野】
【０００１】
本発明は、ふぐ皮から抽出したコラーゲンを化粧品、入浴剤、健康食品等に容易に利用できるようにしたコラーゲン粉末または粒状物及びその製造方法に関する。
【背景技術】
【０００２】
従来、魚皮からコラーゲンを取り出す手段がいろいろと開示されている。例えば、特許文献１は、魚皮を水と混合した有機溶剤または塩溶液に浸して魚皮の膨潤を抑え、酸化剤を作用させて処理する手段を開示する。特許文献２は、さめ等の魚皮に界面活性剤を添加し、温水に浸し、微量の硫化物を加え、さらに石灰漬けした後、ドラム回転処理する手段を開示する。特許文献３は、ふぐ皮をアルコール含有の水溶液で煮沸して抽出する手段を開示する。また特許文献４は、魚鱗、魚皮、魚骨の原料素材を水洗、乾燥、破砕した後、塩系加水溶液に浸し、加熱してコラーゲンを抽出する手段を開示している。
【特許文献１】特開２００６―２１３６２４号公報
【特許文献２】特開２００３―３０１１４４号公報
【特許文献３】特開平８―２８３６６５号公報
【特許文献４】特開２００６―１５２１０８号公報
【発明の開示】
【発明が解決しようとする課題】
【０００３】
然しながら従来の方法は何れも処理工程が複雑で装置も必要でコストが懸かる等の問題があった。本発明は家庭でも簡単に出来て手軽に活用ができるとらふぐの皮から抽出するコラーゲン及びその製造方法を提供する。
【課題を解決するための手段】
【０００４】
本発明は、ふぐの皮から「とげ」を取り除いて細断し、そのふぐ皮を煮沸した後、冷水に浸してゼラチン状にし、乾燥させ、粉砕した後、粉末または顆粒状としたふぐの皮から抽出したコラーゲンである。そしてこのふぐの皮は、「とらふぐ」の皮を用いることを特徴としている。
【０００５】
そしてその製造方法は、ふぐの皮から「とげ」を取り除いた後、湯引き処理する工程と、湯引きしたふぐ皮を冷水に入れて冷した後、細断する工程と、細断したふぐ皮をボイルした後、冷水に浸してゼラチン状とする工程と、このゼラチン状のふぐ皮を水で洗い、冷蔵庫で水に浸して一夜寝かす工程と、一夜寝かしたふぐ皮を自動乾燥機で熱風乾燥した後、粉砕し粉末または顆粒状にする工程とからなる。
【発明の効果】
【０００６】
前述のように本発明のふぐ皮利用のコラーゲンは、特別な生産設備や薬品など処理剤を用いること無く、家庭で容易に作れるという特徴がある。また粉末または顆粒状としたのでみそ汁、煮物料理、鍋物等にそのまま利用できる。またアミノ酸、食塩、乳糖などを添加し混合させた粉末を顆粒状に成形すれば顆粒状のとらふぐコラーゲンができあがる。
【０００７】
粉末なのでお湯を少し注ぐだけで透明の純度の高い良質なゼラチン状のコラーゲンが出来上がり、自分で作る安心安全なゼラチンコラーゲンを飲んだり食べることで手や足の関節通またリューマチなどをやわらげる効果がある。またふぐ皮のゼラチン状コラーゲンは吸収性が良いのでそのままお肌に塗るとお肌の保湿力抜群に保たれるなどの効果がある。
【発明を実施するための最良の形態】
【０００８】
本発明は、ふぐの皮から「とげ」を取り除いて細断し、そのふぐ皮を煮沸した後、冷水に浸してゼラチン状にし、乾燥させ、粉砕し、粉末または顆粒状としたふぐの皮から抽出したコラーゲンである。そしてこのふぐの皮は、「とらふぐ」の皮を用いることを特徴としている。
【実施例１】
【０００９】
約１２０ｇの「とらふぐ」の粉末コラーゲンを作るには、先ず活きた中位の「とらふぐ」１４匹を準備し、それを捌くと約１ｋｇのふぐ皮が取れる。その「とらふぐ」の皮から「とげ」を包丁でそぎ切りして取り除き、次ぎに殺菌と不純物を取り除くため油引き処理を行う。この湯引き処理は、ふぐ皮を５枚ずつ６回に分け、８０度の温度で約３５秒づつ湯引きする。１回にまとめて湯引きすると温度が下がりすぎて後がうまくいかない。
【００１０】
湯引きしたふぐ皮を直ちに冷水に入れて冷す。そして冷したふぐ皮を冷水から取り出し１ｃｍ幅に細断する。そしてカットしたふぐ皮を３５度のお湯で約３０秒間ボイルする。次にボイルしたふぐ皮をマイナス１度の冷水に入れてゼラチン状にする。このゼラチン状態のふぐ皮を水道水で約３０分間さらし、その後冷蔵庫で水に浸して一夜寝かすと約２倍に膨張する。これらの処理を通じてふぐ皮のあくぬきができコラーゲンを抽出するときの臭いが半減する。
【００１１】
一夜、水に浸して寝かしたふぐ皮を自動乾燥機で４０度の温度で４時間熱風乾燥する。その後、殺菌のため６５度の温度で約１時間乾燥する。そして乾燥したふぐ皮を粉砕し粉末にする。かくして粉末状の「とらふぐ」コラーゲンができあがる。
【００１２】
この「とらふぐ」コラーゲン粉末の約５ｇ（小スプーン２杯）に３８０℃〜４００℃の沸騰したお湯を注ぎ入れ、その後冷えるまで４〜５回軽くかき混ぜ、冷えてから冷蔵庫で一夜寝かすと、純度の高いとらふぐ皮から抽出された良質なゼラチン状のコラーゲンができる。またこのゼラチン状のコラーゲンを毎日、約１０ｇ（小スプーン２杯）食べると手や足の関節痛を和らげる効果がある。
(57)【要約】【課題】空間でのネズミへの忌避効果に優れるネズミ忌避剤を提供する。【解決手段】ローズマリーオイルを有効成分とする、または、更にＰ−シメン、γ−テルピネン、酢酸ヘキシル、テルピネオール及びオレンジオイルの少なくとも１種類を配合したネズミ忌避剤。【選択図】なし【特許請求の範囲】
【請求項１】
ローズマリーオイルを有効成分とすることを特徴とするネズミ忌避剤。
【請求項２】
ローズマリーオイルを必須成分としてＰ−シメン、γ−テルピネン、酢酸ヘキシル、テルピネオール及びオレンジオイルの少なくとも１種類を配合したことを特徴とするネズミ忌避剤。
【発明の詳細な説明】
【技術分野】
【０００１】
本発明は、ネズミ忌避剤に関する。
【背景技術】
【０００２】
ネズミは、住居や店舗、倉庫等に侵入し又は生息して、人畜に悪影響を及ぼしている。そこで、従来からネズミ捕獲機を設置したり、殺鼠剤を用いる等の対策が採られているが、捕獲または死んだネズミの処理の問題がある。
【０００３】
また、ネズミ忌避剤を用いてネズミの侵入を防ぐことも行われており、例えば、モノテルペン類を使用したネズミ忌避剤（特許文献１参照）や、テルピネン、テルピネオール、Ｐ−シメンを使用したネズミ忌避剤（特許文献２参照）等が知られている。
【０００４】
【特許文献１】特開平３−１８１４０２号公報
【特許文献２】特開平４−２８８００３号公報
【発明の開示】
【発明が解決しようとする課題】
【０００５】
ところで、ネズミ忌避剤の有効成分が設置箇所から広がれば、忌避空間が広くなり好ましい。しかし、特許文献１、２では、食餌材に上記各成分を混入し、その喫食率を試験しているだけであり、空間での忌避効果が示されておらず、その効果が明らかでなかった。
【０００６】
そこで本発明は、空間でのネズミへの忌避効果に優れるネズミ忌避剤を提供することを目的とする。
【課題を解決するための手段】
【０００７】
上記目的を達成するために本発明は、次のネズミ忌避剤を提供する。
（１）ローズマリーオイルを有効成分とすることを特徴とするネズミ忌避剤。
（２）ローズマリーオイルを必須成分としてＰ−シメン、γ−テルピネン、酢酸ヘキシル、テルピネオール及びオレンジオイルの少なくとも１種類を配合したことを特徴とするネズミ忌避剤。
【発明の効果】
【０００８】
本発明のネズミ忌避剤の主成分であるローズマリーオイルは、忌避効果に優れるだけでなく、空間への広がりも良好であるため、設置箇所近傍だけでなく、広い空間に優れた忌避効果を付与できる。また、芳香性もあり、居住空間で使用しても支障が少ない。
【発明を実施するための最良の形態】
【０００９】
以下、本発明を実施するための最良の形態を説明する。
【００１０】
本発明のネズミ忌避剤は、有効成分としてローズマリーオイルが使用される。使用し得るローズマリーオイルとしては、例えば、ローズマリー・シネオール、ローズマリー・ベルベノン、ローズマリー・カンファー等を挙げることができる。
【００１１】
また、ローズマリーオイルを必須成分とし、Ｐ−シメン、γ−テルピネン、酢酸ヘキシル、テルピネオール及びオレンジオイルの少なくとも１種類を配合することができる。これら第２成分を併用する場合、ローズマリーオイルは有効成分全量の２０質量％以上であればよいが、３０質量％以上であることが好ましい。
【００１２】
更に、必要に応じてその他の成分も配合可能であり、例えば、着色剤、紫外線吸収剤、防腐剤、酸化防止剤等を適量配合してもよい。
【００１３】
ネズミ忌避剤の製剤例としては、例えば、燻蒸剤、ゲル化剤、噴射剤、粉剤、粒剤、顆粒剤、液剤、シート剤等を挙げることができる。尚、ローズマリーオイル及び第２成分は、これらの製剤に適する有効量となるようにその配合量や使用量が選択される。
【００１４】
本発明のネズミ忌避剤の忌避対象はネズミ一般であり、例えば、マウス、クマネズミ、ドブネズミ、ラット、ハツカネズミ等を挙げることができる。
【実施例】
【００１５】
以下、実験例を挙げて本発明を更に説明するが、本発明はこれに限定されるものではない。
【００１６】
（実験１）
マウス（ｄｄＹ系７週齢マウス雄）１６頭を飼育ケージ（幅１６ｃｍ、長さ２３ｃｍ、高さ２０ｃｍ）に放した。そして、飼育ケージの天井中央に、下記表１に示す精油５０μｌ又は水５０μｌを含浸させた濾紙（幅１ｃｍ、長さ１０ｃｍ）を吊るし、マウスが飼育ケージの周辺部に集まり、濾紙の周りにマウスがいない状態（阻止円）が形成されるまでの時間を計測した。結果を表１に示す。
【００１７】
【表１】
2008162906.tif 000002
【００１８】
表１から、ローズマリーオイルを用いることで、最も短時間で阻止円が形成され、他の精油に比べてマウスに対する忌避効果に優れることが判る。
【００１９】
（実験２）
図１に示す忌避試験装置を用いて実験を行った。図示されるように、暗室に設置したケージＡと、３００Ｗの照明で照らした明室に設置したケージＢとを通路で連結した。また、下記表２に示した精油組成物１ｇを、フローライト及びＡＺ空玉からなる保持担体２ｇに吸収させたものを発熱缶に充填して薬剤を作製した。そして、暗室（ケージＡ側）に薬剤を燻蒸させた後、マウス５頭をケージＡに放し、その後３０分間、ケージＢに移動したマウスがケージＢに滞在する時間を計測した。また、比較のために、薬剤の燻蒸を行わずにマウスを観察した。結果を下記表３に示す。マウスは暗室を好むため、ケージＢへ移動するのは精油組成物による忌避効果であると見做せる。尚、ケージＢに移動した後にケージＡに戻り、再度ケージＢに移動したマウスについてもそのときの滞在時間を計数した。
【００２０】
【表２】
2008162906.tif 000003
【００２１】
【表３】
2008162906.tif 000004
【００２２】
表３からも、本発明のネズミ忌避剤の忌避効果が確認された。
【００２３】
（実験３）
マウスの代わりにクマネズミ３頭を用いた他は、実験２と同様にしてクマネズミに対する忌避効果を実験した。結果を下記表４に示す。
【００２４】
【表４】
2008162906.tif 000005
【００２５】
表４からも、本発明のネズミ忌避剤の忌避効果が確認された。
【００２６】
（実験４）
下記表５に示す配合にてローズマリーオイルを含有するゲル剤を調製した。また、実験２で行ったように、暗室に設置したケージＡと明室に設置したケージＢとを通路で連結し、ケージＡ内に水と餌とを置いてマウス５頭を放した。そして、ケージＡ内に調製したゲル剤を入れた後、２０分間にわたりケージＢに移動するマウス数を計数した。また、比較のために、ゲル剤を設置することなくマウスを観察した。結果を下記表６に示す。
【００２７】
【表５】
2008162906.tif 000006
【００２８】
【表６】
2008162906.tif 000007
【００２９】
表６からも、本発明のネズミ忌避剤の忌避効果が確認された。
【図面の簡単な説明】
【００３０】
【図１】実験２及び実験３の実験方法を説明するための図である。
【図１】
2008162906.tif 000008
(57)【要約】【課題】  従来既存のオリーブ由来の原料は、オリーブ果実、オリーブの葉とそれぞれ単独で抽出製造され化粧品や食品として使用されていた。しかし本来は、太陽の恵みを一身に浴びたオリーブ全ての持つ天然有効成分のすべてを満たす材料こそ最も効果的である。【解決手段】  オリーブ果実とオリーブの葉から採れるオリーブの持つ天然の有効成分を全て抽出し、健康的な素肌作り、成人病その他等の予防そして健康維持に寄与可能な化粧品・食品の原料を作り出すものである。【特許請求の範囲】
【請求項１】
完熟したオリーブ果実とオリーブの葉を、あわせて粉砕しそこから高純度に取り出したエキスを粉末状にした化粧品・食品の原料である。
【発明の詳細な説明】
【技術分野】
【０００１】  本発明は、６０００年前から人類の生活に欠かすことのできない植物であるオリーブに含まれている貴重な天然有効成分をその果実と葉、両方から抽出し、化粧品または食品原料として広く使えることを可能にしたものである。
【背景技術】
【０００２】  オリーブは、紀元前より主に地中海地方沿岸に住む人々の重要なビタミン源である食品はもちろん、最良の薬でもあった。またその果実から絞られたオイルは人々の皮膚を強い太陽から保護する今でいうところの基礎化粧品として日常使われていた。【０００３】  オリーブ（学名Ｏｌｅａ  ｅｕｒｏｐａｅａ）は、モクセイ科オリーブ属に分類される常緑の中高木で、太陽の恵みを最大限に吸収したくましい生命力を持っている。地中海沿岸の各地では、樹齢１０００年を超える老樹も数多く葉を茂らせ、果実を実らせている。【０００４】  オリーブ果実から絞られたバージンオリーブオイルの有効微量成分は、ビタミンＡ・Ｃ・Ｅ、葉緑素、カロテン、ポリフェノール、スクワレンなどで、現在、肌の健康を健やかに整える安全な基礎化粧品として多くの女性に愛用されている。【０００５】  オリーブ果実には、３００種類以上の有効微量成分が含まれていることで有名である。その中でも、オリーブ果実から抽出し化粧品や食品に幅広く利用可能な有効成分は以下のものがある。【０００６】  オリーブ果実ポリフェノール・・・オリーブ果実から高純度で取り出すことが可能なポリフェノール。強力な抗酸化作用のほか、肌の美白効果・血流改善などの健康効果が期待できる。【０００７】    オリーブ果実エキス・・・オリーブの種に含まれる成分に、優れたラジカル補足作用が報告されている。【０００８】  またオリーブの葉は、傷を癒し肌を活性化させる成分を持ち、古代ギリシャ・ローマ時代から生命の象徴とされてきた。【０００９】  オリーブ葉には、鉄分、カルシウム、特に、ビタミンＥが豊富に含まれ、さらに有効成分のオレウロペイン（ポリフェノールの一種）、オレイン酸、エレノル酸、ヒドロキシチロシルにはいずれも、自然治癒力を高める働きがある。またコエンザエムＱ１０も微量ながら含まれていることが最近の研究で発表された。【００１０】  中でもオレウロペインはオリーブの葉に含まれているポリフェノールの一種である有効成分で、抗酸化物質として体内で、一種の抗生物質のような働きをする。さらに抗生物質では入り込めない細胞内にまで到達して細胞内にいるウィルスの生存に必要なアミノ酸合成を妨げウィルスを殺す働きがある。ＨＩＶウィルスに対しても効果的であることが実証され、外国のエイズ患者の団体はエイズ患者たちにオレウロペインを勧めている。
【発明の開示】
【発明が解決しようとする課題】
【００１１】  従来既存のオリーブ由来の原料は、オリーブ果実、オリーブの葉とそれぞれ単独で抽出製造され化粧品や食品として使用されていた。しかし本来は、太陽の恵みを一身に浴びたオリーブ全ての持つ天然有効成分のすべてを満たす材料こそ最も効果的であることが、人々の長い歴史で証明されている。【００１２】  本発明は、このような問題を解決しようとするものであり、オリーブ果実とオリーブの葉から採れるオリーブの持つ天然の有効成分を全て抽出し、健康的な素肌作り、成人病その他等の予防そして健康維持に寄与可能な化粧品・食品の原料を作り出すものである。
【課題を解決するための手段】
【００１３】  オリーブ果実とオリーブの葉を粉砕し乾燥させ粉末状にする。
【発明の効果】
【００１４】  本発明により、オリーブの持つ天然有効成分を容易に様々な化粧品、食品に配合することが可能になる。【００１５】  以下本発明の原料を配合することでの主な効果を再度記述する。【００１６】  素肌を滑らかに整える。【００１７】  しみ・そばかすを取るまたは薄くする。【００１８】  小じわを防止する。【００１９】  紫外線から素肌を守る。【００２０】  基礎代謝機能をアップさせ、血流を改善する。【００２１】  コレステロール値・血圧を下げる。【００２２】  強力な坑酸化作用で、体のサビをとり、成人病を予防する。
【本発明を実施するための最良の形態】
【００２３】  完熟したオリーブ果実とオリーブの葉を、あわせて粉砕しそこから高純度に取り出したエキスを粉末状にし、配合可能な原料とする。
(57)【要約】【課題】塩の造形物を製造するについて、容易に製造でき均一な強度を得られて壊れ難くする方法を提供する。【解決手段】塩化ナトリウムを主成分とした、塩の粒を粉砕し、この塩の粉と水を混錬し成形した成形物を電子レンジでの加熱によって水分を蒸発させ、塩の造形物の製品とする方法を特徴とする。【特許請求の範囲】
【請求項１】
電子レンジの機能を用いた塩の造形物の製造方法
【発明の詳細な説明】
【技術分野】
【０００１】この発明は塩の造形物の製造方法に関するものである。
【背景技術】
【０００２】従来、塩の造形物は、湿気などを吸収しやすく、容易に形が崩れるものである。
【発明の開示】
【発明が解決しょうとする課題】
【０００３】塩の造形物を製造するについて、容易に製造でき均一な強度を得られて壊れ難くする。
【課題を解決するための手段】
【０００４】塩化ナトリウムを主成分とした、塩の粒を粉砕し、この塩の粉と水を混錬し成形型で成形し、成形後、離型し、取り出した成形物を電子レンジでの加熱によって、水分を蒸発させ、塩の造形物の製品とする。
【発明の効果】
【０００５】壊れ難い塩の造形物であるので、製品としてレベルの高い商品が提供できる。
【発明を実施するための最良の形態】
【０００６】以下、本発明を実施するための最良の形態について説明する。
塩の粒を粉砕した物と水をよく混ぜた混錬物を成形型にて、成形した物を電子レンジに入れて加熱すると、電子レンジが照射するマイクロ波により、成形型にて成形された塩と水の混錬物に含まれる水分を発熱させ、蒸発させることにより、容易に製造でき均一な強度を得られて壊れ難い塩の造形物を製造する
本発明は以上のような構造である。
(57)【要約】      （修正有）【課題】従来のマグネット付きクリップはマグネットが片方の基盤にしか付いていないため、マグネット付きクリップに書類や料理のレシピ等のメモ用紙をはさみ冷蔵庫やホワイトボード等のスチール製品に貼り付けておき、裏返して貼りなおす場合、紙を一度クリップから外して裏返してクリップにはさみ直して貼り直さなければならなかった。また、必要な時以外は裏返しにしておきたい、もしくは必要な時に表向きにしたい場合、従来のクリップでは紙をクリップから外し裏返してはさみなおして貼り直さなければならなかった。【解決手段】クリップの表面基盤と裏面基盤の両方にマグネットを設けることにより、書類やメモ用紙等をクリップから外すことなくクリップを裏返して冷蔵庫やホワイトボード等のスチール製品に着けるだけで書類やメモ用紙等を裏返して貼り付けられる。【選択図】図１
2008162223.tif 000002
【特許請求の範囲】
【請求項１】
クリップの表面基盤と裏面基盤の両方にマグネットを設けたことを特徴とするマグネット付きクリップ。
【発明の詳細な説明】
【技術分野】
【０００１】  本発明はマグネット付きクリップに関するものである。
【背景技術】
【０００２】  書類やメモ用紙等の紙片を挟んだ状態でスチール製の起立面にマグネットの磁力を利用して留めるクリップがある。このクリップは、起立面にマグネットの磁力を利用して留められる裏面基盤と、裏面基盤に対して回動可能に設けられた表面基盤と、表面基盤の先端部を裏面基盤に押さえつける弾性体とを具備してなるものであり、従来、この種のクリップは裏面基盤にのみマグネットを具備してなるものである。
【発明の開示】
【発明が解決しようとする課題】
【０００３】  そのために、次のような問題が生じていた。
１）文字、図、表、絵、写真等が両面に書かれているもしくは印刷されている書類やメモ用紙等をクリップで挟み、起立面にマグネットの磁力を利用して留めた状態から、その裏面を表にして起立面に留めるには、一度クリップから書類やメモ用紙等を外し裏返してクリップに挟み直したのち起立面に留めなおさなければならない。【０００４】２）文字、図、表、絵、写真等が片面に書かれているもしくは印刷されている書類やメモ用紙等の裏面もしくは表面を前面にしてクリップで挟み、起立面にマグネットの磁力を利用して留めた状態で、必要に応じて逆の面を前面にして書類やメモ用紙等の内容が見えない様にしたり見える様にするには、一度クリップから書類やメモ用紙等を外し裏返してクリップに挟み直したのち起立面に留めなおさなければならない。【０００５】  そこで、本発明は以上の問題を解消したマグネット付きクリップを提供することを課題とした。
【課題を解決するための手段】
【０００６】  以上の課題を解消するために、クリップの表面基盤と裏面基盤の両方にマグネットを設けたことを特徴とするマグネット付きクリップである。
【発明の効果】
【０００７】  本発明によれば、クリップに挟まれた書類やメモ用紙等をクリップから外すことなくマグネット付きクリップを裏返して起立面に留めることで書類やメモ用紙等を裏返しにして起立面に留めることができる。
【発明を実施するための最良の形態】
【０００８】  すなわち、本発明は、壁等の起立面に留められる裏面基盤と、裏面基盤に対して回動可能に設けられた表面基盤よりなり、裏面基盤と表面基盤の両方にマグネットを具備している。
【実施例】
【０００９】  本発明の一実施例について、図面を参照して説明する。本実施形態に係るマグネット付きクリップＡは、書類やメモ用紙等の紙片を挟んだ状態で冷蔵庫やホワイトボード等のスチール製品の起立面に貼り付けて使用されるもので、図１から図２に示すように、矩形形状に形成された表面基盤３と裏面基盤６とを表面基盤３及び裏面基盤６から突設した一対の表面基盤軸受け部１０と裏面基盤軸受け部９に形成した孔１０ａと９ａに軸７を挿通させることにより回動可能にしたものである。【００１０】  この軸７には一端８ａが表面基盤３の裏面３ｂに、他端８ｂが裏面基盤６の表面６ｂに接するねじりコイルバネ８が巻回してあり、このねじりコイルバネ８の弾性付勢力を利用して表面基盤先端部３ａを裏面基盤先端部６ａに対して圧接している。【００１１】  表面基盤３の表面３ｃ及び裏面基盤６の裏面６ｃは図２に示すように、基盤に矩形形状の凹部を設け表面基盤３に表面マグネット２を裏面基盤６に裏面マグネット５を収容し、接着剤やリベット等で固定されており、このマグネット２もしくはマグネット５の磁力を利用して表面基盤３もしくは裏面基盤６を冷蔵庫やホワイトボード等のスチール製品の起立面に貼り付けられるものである。【００１２】  図１及び図２の本発明の実施形態ではマグネットが表面基盤３及び裏面基盤６から露出しているが、表面基盤３及び裏面基盤６の両方もしくは片方にマグネットを内蔵させることも可能である。マグネットを基盤に内蔵させた場合、基盤に直接、文字、図、表、絵、写真を書くことも印刷することも可能となる。
【図面の簡単な説明】
【００１３】
【図１】本発明の一実施形態を示す斜視図である。
【図２】本発明の一実施形態を示す側面図である。
【符号の説明】
【００１４】Ａ  マグネット付きクリップ
１  表面
２  表面マグネット
３  表面基盤
３ａ  表面基盤先端部
３ｂ  表面基盤裏面
３ｃ  表面基盤表面
４  裏面
５  裏面マグネット
６  裏面基盤
６ａ  裏面基盤先端部
６ｂ  裏面基盤表面
６ｃ  裏面基盤裏面
７  軸
８  ねじりコイルバネ
９  裏面基盤軸受け部
１０  表面基盤軸受け部
【図１】
2008162223.tif 000003
【図２】
2008162223.tif 000004